(57)【要約】【課題】  箸やスプーンなどが重なることがなく、汚れ部分に対する洗浄水のあたりがよくて効率よく洗浄することができ、汚れ水の流れもよい小物かごを備えた食器洗浄機の食器かごを提供する。【解決手段】  洗浄対象物が収納される収納部を有するかご本体２１と、このかご本体２１の下部に着脱自在にかつ後部側が下方に傾斜して取付けられ、箸６１ａやスプーンなどを横にして収納する複数の収納部を有する小物かご４０とによって構成した。【選択図】        図１
2005334259.tif 000002
【特許請求の範囲】
【請求項１】
洗浄対象物が収納される収納部を有するかご本体と、
該かご本体の下部に着脱自在にかつ後部側が下方に傾斜して取付けられ、箸やスプーンなどを横にして収納する複数の収納部を有する小物かごとによって構成したことを特徴とする食器洗浄機の食器かご。
【請求項２】
前記かご本体を、茶碗や小皿などが収納される第１、第３の収納部を有する平面ほぼＬ字状の上かごと、中皿や大皿などが収納される第２の収納部を有し前記上かごの一方の側に該上かごより下方にかつ該上かごと一体に形成された下かごとによって形成したことを特徴とする請求項１記載の食器洗浄機の食器かご。
【請求項３】
前記小物かごを、所定の間隔で設けられた枠材と、これら両枠材の前部側の上面に上端部に係止部を有する第１の支持腕を設けると共に、前記枠材の長手方向のほぼ中間部又はそれより後部側の上面に上端部に係止部を有し前記第１の支持腕より長い支持腕を設け、前記両枠材の間において前部側から長手方向のほぼ中間部にわたって所定の間隔で上下に交互に第１の保持部を設けると共に、前記ほぼ中間部より後部側の上面に所定の間隔で第２の保持部を設け、前記上下の第１の保持部により収納部を形成したことを特徴とする請求項１又は２記載の食器洗浄機の食器かご。
【請求項４】
前記小物かごの保持部を、複数の円弧形部又は多角形部を横方向に連続して形成したことを特徴とする請求項３記載の食器洗浄機の食器かご。
【請求項５】
前記小物かごを、所定の間隔で設けられた枠材と、これら両枠材の前部側の上面に上端部に係止部を有する第１の支持腕を設けると共に、前記枠材の長手方向のほぼ中間部又はそれより後部側の上面に上端部に係止部を有し前記第１の支持腕より長い支持腕を設け、前記両枠材の下部の間に格子状の底部を形成し、該底部上に幅方向に所定の間隔で長手方向に複数の支持柱を立設その上端部の長手方向にそれぞれ保持材を設け、これら各保持材と底部との間にそれぞれ収納部を形成したことを特徴とする請求項１又は２記載の食器洗浄機の食器かご。
【発明の詳細な説明】
【技術分野】
【０００１】
本発明は、食器や箸、スプーンなどの食器類を収納して洗浄槽内に収容し、噴射ノズルから噴射した洗浄水により食器類を洗浄し、すすぐための食器洗浄機の食器かごに関するものである。
【背景技術】
【０００２】
従来の食器洗浄機の小物食器入れに、前後方向１列に立設された複数の支柱と、隣接する支柱間を１目間隔として上下複数段にわたりそれぞれ設けられ、かつ内側突起を形成した棚枠と、上記１目間隔の棚枠の底部を構成し、かつ多数の水切孔を有する底板とを具備し、上記底板は左右の単一傾斜状に構成するとともに、隣接する１目間隔の棚枠における底板に対して傾斜方向を逆に設定したものがある（例えば、特許文献１参照）。
【０００３】
また、洗浄槽と、食器等を収納する食器かごと、調理器具を収納する洗浄棚と、洗浄槽内の洗浄水を加圧する洗浄ポンプと、洗浄水を噴射する噴射孔を有するノズルとを備え、洗浄棚と食器かごの収納段部とを共有にしたものがある（例えば、特許文献２参照）。
【０００４】
【特許文献１】実公平５−３２０５３号公報（第２−３頁、図１、図４）
【特許文献２】特開平１１−２４４２１６号公報（第４頁、図１、図２）
【発明の開示】
【発明が解決しようとする課題】
【０００５】
特許文献１に記載の小物食器入れは、箸やスプーンなどを立てて入れるようにしているので、箸やスプーンなどが重なり合ったり、他の食器類を覆ったりするため、洗浄性能が低下するという問題があった。
また、特許文献２に記載の食器かごは、水平に設けた洗浄棚の上に箸やスプーンなどを洗浄棚に沿って平らに置くようになっているため、汚れ水が流れにくいという問題があった。
【０００６】
本発明は、上記の課題を解決するためになされたもので、箸やスプーンなどが重なることがなく、汚れ部分に対する洗浄水のあたりがよくて効率よく洗浄することができ、汚れ水の流れもよい小物かごを備えた食器洗浄機の食器かごを提供することを目的とするものである。
【課題を解決するための手段】
【０００７】
本発明に係る食器洗浄機の食器かごは、洗浄対象物が収納される収納部を有するかご本体と、該かご本体の下部に着脱自在にかつ後部側が下方に傾斜して取付けられ、箸やスプーンなどを横にして収納する複数の収納部を有する小物かごとによって構成したものである。
【発明の効果】
【０００８】
本発明に係る食器かごは、箸やスプーンなどを収納部に横にして１本ずつ収納し、かご本体に着脱自在に取付けた小物かごを備え、汚れ部分には格子や枠などを設けないようにしたので、洗浄水の水当りがよく、汚れを効果的に洗浄することができる。
また、小物かごを後部側を下方に傾斜させてかご本体に取付けるようにしたので、箸やスプーンを洗浄した洗浄水の流れがよく、溜ることがない。
【発明を実施するための最良の形態】
【０００９】
［実施の形態１］
図１は本発明の実施の形態１に係る食器かごが収容された食器洗浄機の一例の縦断面図である。
上面が開口された箱状の筐体１内には、上面に開口部３を有する箱状の洗浄槽２が設置されており、この洗浄槽２の底部４は、浅底部４ａと、幅方向のほぼ中央部から一方の側に形成された凹状の深底部４ｂとにより２段に形成されており、浅底部４ａは深底部４ｂに向って僅かに下降する傾斜面に形成されている。５は深底部４ｂの底部に設けられた洗浄水の貯水部で、上部開口部にはフィルタ６が着脱可能に装着されている。そして、開口部３には上蓋７が開閉自在に装着されている。
【００１０】
８は開閉弁９を有し、洗浄槽２の側壁に設けられた給水口で、給水管１０により水道栓等に接続されている。１１は複数の噴射孔１２を有し、洗浄槽２の浅底部４ａ内に回転自在に配置された噴射ノズル、１３は洗浄槽２の浅底部４ａの下方に設置され、吸込み口が貯水部５に接続された洗浄ポンプで、その吐出口は噴射ノズル１１に接続されている。
【００１１】
１４は排水ポンプで、吸込み口は貯水部５に接続され、吐出口は排水管１５に接続されて筐体１外に導かれている。なお、図示してないが、深底部４ｂ内には洗浄水を加熱するヒータが設置されている。
２０は例えばステンレス線材の如き多数の線材を組込んでなり、洗浄槽２内に収容されて、洗浄対象物である茶碗６０ａ、皿６０ｂなどの食器類６０や、箸６１ａ、スプーン６１ｂなどの小物類６１を収納する食器かごである。
【００１２】
食器かご２０は、食器類６０を収納するかご本体２１と、小物類６１が収納されてかご本体２１に着脱自在に装着される小物かご４０とからなっている。
かご本体２０は、図２、図３に示すように、洗浄槽２の幅方向とほぼ等しい長さで所定の間隔で配置された主横線材２４ａ，２４ｂと、洗浄槽２の奥行方向とほぼ等しい長さで、所定の間隔で主横線材２４ａ，２４ｂと直交して配置された主縦線材２５ａ，２５ｂとを有し、両者の端部側を接合してほぼＬ字状に形成されている。
【００１３】
そして、主縦線材２５ａ，２５ｂの内側（図の左側）に所定の間隔で補助線材２６ａ，２６ｂを配置し、主縦線材２５ａと補助線材２６ｂとの間において、奥行方向に所定の間隔で補助線材２７ａ〜２７ｅを接合して格子状に形成する。なお、この場合、補助線材２７ｂと２７ｃ、２７ｄと２７ｅの間を、収納される洗浄対象物（例えば、茶碗６１ａなど）を保持できる間隔とする。
【００１４】
また、補助線材２７ｂと２７ｅに、複数の傾斜線材２８ａ，２８ｂの傾斜片を所定の間隔で、かつ上部を互いに離れる方向に傾斜させて接合すると共に、補助線材２７ｃと２７ｄの間に正面ほぼ台形状の保持線材２９を、傾斜線材２８ａ，２８ｂと対向して接合する。これにより、傾斜線材２８ａ，２８ｂと保持線材２９との間に、洗浄対象物の第１の収納部３０ａ，３０ｂがそれぞれ形成される。
【００１５】
３１ａ，３１ｂはＬ状線材で、第１の収納部３０ａ，３０ｂの一方の側（図の左側）において、収容される洗浄対象物（例えば、中皿や大皿）を保持できる間隔で、その短片の先端部を補助線材２６ｂに接合して長片を下方に位置させる。また、先端部が直角に折曲げられたＬ字状の補強線材３１ｃをＬ状線材３１ａの外側（Ｌ状線材３１ａと反対側）に配置して、その短片の先端部を補助線材２６ｂに接合すると共に、その折曲げ部をＬ字線材３１ａ，３１ｂの長片の先端部にそれぞれ接合する。
【００１６】
そして、複数の傾斜線材３２ａの傾斜片を所定の間隔で外側（補強線材３１ｃ側）に傾斜させてＬ状線材３１ａの長片に接合すると共に、水平片に長短を有する複数の傾斜線材３２ｂを、傾斜線材３２ａと対向しかつ上部が互いに離れる方向に傾斜させてＬ状線材３１ｂの長片に交互に接合し、その水平片を主横線材２４ａと２４ｂ又は２４ｂに接合する。これにより、傾斜線材３２ａと３２ｂとの間に、洗浄対象物の第２の収納部３３が形成される。
【００１７】
また、主横線材２４ａ，２４ｂの間において、主縦線材２５ｂ及び傾斜線材３２ｂに、傾斜線材３４ａ，３４ｂの傾斜片を所定の間隔で、かつ上部を互いに離れる方向に傾斜させて接合すると共に、両傾斜線材３４ａ，３４ｂの間にこれらに対向して、収納される洗浄対象物（例えば、小皿など）を保持できる間隔で、正面ほぼ台形状の保持線材３５を接合する。これにより、傾斜線材３４ａ，３４ｂと保持線材３５との間に、洗浄対象物の第３の収納部３６ａ，３６ｂがそれぞれ形成される。３７ａ，３７ｂは第３の収納部３６ａ，３６ｂに対応して主横線材２４ｂに設けた門型のストッパ線材である。
【００１８】
３８ａは第３の収納部３６ａの外側（図の右側）において、両主横線材２４ａ，２４ｂの間に補助線材を接合して形成した、例えば、洗浄対象物である湯呑茶碗やコップなどを載置する載置部、３８ｂは主縦線材２５ａから外側に張出して形成した同様の載置部である。
【００１９】
このようにして、例えば茶碗６０ａや小皿などを収納する第１、第３の収納部３０ａ，３０ｂ，３６ａ，３６ｂが設けられた上かご２２と、上かご２２の一方の側においてこれより下方に形成され、例えば中皿や大皿６０ｂが収納される第２の収納部３３が設けられた下かご２３とにより、上下２段からなる食器かご本体２１が形成される。
【００２０】
図４は小物かご４０の斜視図、図５はその前面側斜視図、図６は図４の側面図である。なお、図４、図５には箸を収納した場合が示してある。
この小物かご４０は、所定の間隔（この間隔は、例えば、上かご２２の補助線材２７ｃ，２７ｄの間隔より若干広く形成されている）で設けられた枠材４１ａ，４１ｂを有し、その一端（図６の左端部で、以下図の左側を前、右側を後という）と長手方向のほぼ中間部又はそれより後部側には、支持腕４２ａ，４２ｂと、これより長い支持腕４３ａ，４３ｂがそれぞれ立設されており、これら支持腕４２ａと４２ｂ、４３ａと４３ｂの上端部には、上かごの線材に嵌合して係止する係止部４４が設けられている。
【００２１】
また、両枠材４１ａ，４１ｂの長手方向の前端部からほぼ中間部までの上下には、複数の円弧部が横方向に連続したほぼ波形形状の複数の第１の保持部４５ａ，４５ｂが、開口部を向き合わせて所定の間隔で交互に設けられて収納部４６を形成しており、収納部４６の上下の間隔は、太目の箸６１ａやスプーン部を横向きにした場合のスプーンの柄が挿入できるように選ばれている。
また、枠材４１ａ，４１ｂの長手方向のほぼ中間部より後部側の上面には、第１の保持部４５ａと同様の波形形状で、これより若干高く形成された複数の第２の保持部４７が、第１の保持部４５ａ，４５ｂの間隔より広い間隔で設けられており、下面は開放されている。なお、第１の保持部４５ａ，４５ｂ及び第２の保持部４７を、円弧部を横方向に連続してほぼ波形に形成した場合を示したが、円弧部に代えて、例えば、三角形、四角形、台形等の多角形のものを横方向に連続して第１、第２の保持部４５ａ，４５ｂ，４７を形成してもよい。４８は枠材４１ａ，４１ｂの後端部に設けたストッパである。
【００２２】
次に、上記のような食器かご２０を備えた食器洗浄機の作用を説明する。なお、食器かご２０は洗浄槽２内にセットされているものとする。
先ず、図４に示すように、小物かご４０の収納部４６に、例えば箸６１ａを汚れた部分を先にして１本ずつ横にして挿入する。このとき、後端部にはストッパ４８が設けられているので、箸６１が抜け出すことはない。なお、スプーンやフォークを洗浄する場合は、その柄を収納部４６に挿入してスプーン部やフォーク部を横向きにして収納部４６から露出させるようにしてもよく、あるいは、収納部４６の後部側から柄を挿入して横向きにしたスプーン部やフォーク部を第２の保持部４７の下に露出させるようにしてもよい。
【００２３】
ついで、上蓋７を開放して、箸６１ａ等が収納された小物かご４０を、かご本体２１の上から下かご２３の第２の収納部３３を通して上かご２２の第１の収納部３０ａ，３０ｂの間に挿入し、その支持腕４２ａ，４２ｂ、４３ａ，４３ｂの係止部４４を、主縦線材２５ｂ及びこれと平行に設けた補助線材に嵌合して係止させる。これにより、小物かご４０はかご本体２１の上かご２２の下に取付けられる。このとき、小物かご４０は噴射ノズル１１の近傍に位置し、また、支持腕４３ａ，４３ｂは支持腕４２ａ，４２ｂより長いので、小物かご４０は後部側が下方に傾斜して取付けられる。なお、小物かご４０をあらかじめかご本体２０に取付けておき、あとから収納部４６に箸６１ａ等を収納してもよい。
【００２４】
次に、第１の収納部３０ａ，３０ｂに例えば茶碗６０ａ等を、第２の収納部３３に例えば大皿等６７ｂをそれぞれ収納し、第３の収納部３６ａ，３６ｂに例えば小皿等を収納する。なお、必要に応じて、載置部３８ａ，３８ｂに湯呑茶碗やコップなどを、開口部を下にして載置する。
食器類６０等の収納が終ったときは上蓋７を閉じ、ロックする。
【００２５】
次に、開閉弁９を開いて給水口８から洗浄槽２内に給水し、貯水部５を含む深底部４ｂに洗浄水を貯水し、所定の時間経過（又は所定の水位に達した）ときは開閉弁９を閉じる。このとき、必要に応じて洗剤を投入してもよい。ついで、ヒータに通電して洗浄水を洗浄に適する温度に加熱し、通電を停止する。
【００２６】
次に、洗浄ポンプ１３を駆動して貯水部５内の温水（洗浄水）を噴射ノズル１１に圧送し、噴射ノズル１１を回転させながら噴射孔１２から食器類６０や箸６１ａ等に洗浄水を噴射し、これらを洗浄して洗浄工程が開始される。
このとき、小物かご４０は噴射ノズル１１に近接して位置しているので、第２の保持部４７の下に露出する箸６１ａ等の汚れ部分は効率よく洗浄される。
【００２７】
また、箸６１ａは軽いため噴流によって上方に飛び出すおそれがあるが、収納部４６は上部に第１、第２の保持部４５ａと４７が設けられているので、これらにより飛び出しを防止することができる。
さらに、第１の保持部４５ａ，４５ｂは上下に交互に設けられており、第２の保持部４７は上部だけに設けられているので、水抜けに支障を来たすことはない。
【００２８】
また、小物かご４０は後部側が下方に傾斜しているので、小物かご４０や箸６１ａ等に向って噴射された洗浄水の大部分は飛散して上かご２２に収納された茶碗６０ａ等の洗浄に寄与し、一部は小物かご４０や箸６１ａ等に沿って後部側に流れて落下するので、洗浄水が溜ったり付着したりすることがない。
さらに、小物かご４０はかご本体２０に対して着脱自在に装着されるので、取外して洗浄することがきわめて容易であり、このため常に清潔に保つことができる。
【００２９】
食器類６０等を洗浄した洗浄水は、洗浄槽２内を落下して貯水部５に集まり、洗浄ポンプ１３により再び噴射ノズル１１に送られ、食器類６０等を洗浄する。洗浄水はこのようにして循環し、食器類５０等の洗浄を繰り返えす。
このとき、循環している洗浄水には食器類６０等に付着していた残滓が混入するが、この残滓はフィルタ６により捕集される。
所定の時間が経過すると、洗浄ポンプ１３を停止すると共に排水ポンプ１４を駆動し、洗浄槽２内の洗浄水を排水管１５から外部に排出する。これにより洗浄工程が終了する。
【００３０】
次に、再び開閉弁９を開いて洗浄槽２内に給水し、ヒータによりすすぎに適した温度に加熱する。そして、洗浄ポンプ１３を駆動して噴射ノズル１３から食器類６０等に温水（すすぎ水）を噴射し、すすぎ工程を開始する。そして、一定時間経過したときは洗浄ポンプ１３を停止して排水ポンプ１４によりすすぎ水を排水する。ついで再び洗浄槽２に給水して加熱し、洗浄ポンプ１３を駆動して食器類５０等のすすぎを行う。このようなすすぎ工程は数回繰り返えされる。
【００３１】
所定の時間経過してすすぎ工程が終ったときは、食器類６０等が乾燥するまで放置しておく。この場合、図示してないが筐体１内に温風送風機を設け、洗浄槽２内に温風を送風して食器類６０等を乾燥するようにしてもよい（乾燥工程）。
上記の洗浄槽２への給水及び加熱、洗浄工程、すすぎ工程、（乾燥工程）の一連の動作は、操作部で設定されてすべて自動的に行われる。
食器類６０等が乾燥したときは、上蓋７を開き、食器類６０等を取り出す。なお、小物かご４０に収納した箸６１ａ等は、小物かご４０を洗浄槽２から取り出して引き出してもよく、小物かご４０をそのままにして箸６１ａ等を取り出してもよい。
【００３２】
［実施の形態２］
図７は本発明の実施の形態２に係る食器かごの小物かごの斜視図、図８は図７の前面側斜視図、図９は図７の側面図で、図７、図８は収納部にスプーンを収納した状態を示してある。なお、実施の形態１と同一又は相当部分には、これと同じ符号を付してある。
【００３３】
本実施の形態に係る小物かご４０は、所定の間隔で設けられた枠材４１ａ，４１ｂの下面の長手方向には、所定の間隔で支持材５１が垂下され、この支持材５１の下端部には下材５２ａ，５２ｂ（５２ｂは図示してない）が設けられている。なお、図には下材５２ａ，５２ｂの２か所に切除部５３を設けた場合を示してあるが、これは省略してもよい。また、両下材５２ａ，５２ｂの間には支持材５１と同じ間隔で横材５４が設けられており、両下材５２ａ，５２ｂの間には、横材５４と直交して、広い間隔５６ａと狭い間隔５６ｂとを交互に形成した縦材５５が設けられて、底部５７がほぼ格子状に形成されている。
【００３４】
そして、縦材５５の狭い間隔５６ｂの横材５４と対応した位置にはそれぞれ支持材５１が立設され、支持材５１の上端部の長手方向には、枠材４１ａ，４１ｂとほぼ同一平面上においてそれぞれ保持材５８が設けられており、各保持材５８と底部５７との間に、スプーン６１ｂ、フォーク等の収納部５９が形成されている。
上記のように構成した本実施の形態に係る小物かご４０においては、スプーン６１ｂやフォークなどの柄を１本ずつ収納部５９上に載置して収納し、そのスプーン部やフォーク部を横向きにして前端部から露出させておく。
【００３５】
本実施の形態に係る小物かご４０のかご本体２１への取付手順、スプーンやフォーク等の洗浄やすすぎ作用及び効果は実施の形態１の場合とほぼ同様であるが、汚れたスプーン部やフォーク部を小物かご４０の前端部から露出（突出）させているので、洗浄水が直接当って効果的に洗浄することができる。
【００３６】
上記の説明では、枠材４１ａ，４１ｂの下面の長手方向に複数の支持材５１を設けてその下端部に下材５２ａ，５２ｂを設け、両下材５２ａ，５２ｂの間に横材５４と縦材５５により格子状の底部５７を形成した場合を示したが、例えば、両下材５２ａ，５２ｂの上下方向の幅を広くして支持材５１及び下材５２ａ，５２ｂを省略し、両枠材４１ａ，４１ｂの下端部に横材５４と縦材５５を設けて底部５７を格子状に形成してもよい。この場合、必要に応じて、枠材４１ａ，４１ｂの長手方向に所定の間隔で窓穴を設けてもよい。
【００３７】
本実施の形態に係る小物かご４０は、箸６１ａ等を収納した実施の形態１に係る小物かご４０に代えてかご本体２１に取付けてもよく、あるいは、実施の形態１に係る小物かご４０と、本実施の形態に係る小物かご４０を、かご本体２１に並べて取付けてもよい。
【００３８】
上記の説明では、本発明に係る食器かご２０を、図１に示した食器洗浄機に設けた場合を示したが、食器洗浄機はこれに限定するものではなく、例えば、洗浄槽と別に給水タンクを設け、この給水タンクから洗浄槽に洗浄水を給水するようにしたものなど、他の構造の食器洗浄機においても本発明に係る食器かご２０を用いることができる。
また、小物かご４０を取付けるかご本体２１も図示のもので限定するものではなく、他の構造のものであってもよい。
【図面の簡単な説明】
【００３９】
【図１】本発明の実施の形態１に係る食器かごを収容した食器洗浄機の一例の縦断面図である。
【図２】実施の形態１に係る食器かごのかご本体の正面側斜視図である。
【図３】図２の上面側斜視図である。
【図４】実施の形態１に係る食器かごの小物かごの斜視図である。
【図５】図４の前面側斜視図である。
【図６】図４の側面図である。
【図７】実施の形態２に係る食器かごの小物かごの斜視図である。
【図８】図７の前面側斜視図である。
【図９】図７の側面図である。
【符号の説明】
【００４０】
１  筐体、２  洗浄槽、７  上蓋、８  給水口、１１  噴射ノズル、１３  洗浄ポンプ、１４  排水ポンプ、２０  食器かご、２１  かご本体、２２  上かご、２３  下かご、３０ａ，３０ｂ  第１の収納部、３３  第２の収納部、３６ａ，３６ｂ  第３の収納部、４０  小物かご、４２ａ，４２ｂ，４３ａ，４３ｂ  支持腕、４４  係止部、４５ａ，４５ｂ，４７  保持部、４６  収納部、５８  保持材、５９  収納部、６０  食器類、６１ａ  箸、６１ｂ  スプーン。
【図１】
2005334259.tif 000003
【図２】
2005334259.tif 000004
【図３】
2005334259.tif 000005
【図４】
2005334259.tif 000006
【図５】
2005334259.tif 000007
【図６】
2005334259.tif 000008
【図７】
2005334259.tif 000009
【図８】
2005334259.tif 000010
【図９】
2005334259.tif 000011